【手続補正書】
【提出日】平成20年8月26日(2008.8.26)
【手続補正１】
【補正対象書類名】明細書
【補正対象項目名】特許請求の範囲
【補正方法】変更
【補正の内容】
【特許請求の範囲】
【請求項１】  対象者に対して一酸化窒素を供給する方法に使用される組成物であって、前記方法が、アンモニア酸化細菌を対象者の極めて近くに置くことを含んで成るとともに、前記組成物が、前記アンモニア酸化細菌を含んでなる、組成物。
【請求項２】  前記細菌を置く行為が、アンモニア酸化細菌を対象者の表層に対して適用することを含んで成る、請求項１記載の組成物。
【請求項３】  前記方法が、尿、糞便、血液、傷の分泌物、月経の分泌物、膣の分泌物、局所適用混合物、又はそれらの組み合わせを細菌により代謝することを更に含んで成る、請求項１又は請求項２に記載の組成物。
【請求項４】  前記細菌が、ニトロソモナス（Nitrosomonas）、ニトロソコッカス（Nitrosococcus）、ニトロソスピラ（Nitrosospira）、ニトロソシスチス（Nitrosocystis）、ニトロソロブス（Nitrosolobus）、ニトロソビブリオ（Nitrosovibrio）、及びそれらの組み合わせからなる群から選択される、請求項１〜３の何れか一項に記載の組成物。
【請求項５】  前記細菌が、実質的に純粋である、請求項１〜４の何れか一項に記載の組成物。
【請求項６】  前記細菌が、表層上の通常の体の分泌物を、一酸化窒素、一酸化窒素前駆体、又はそれらの組み合わせへと代謝する、請求項１〜５の何れか一項に記載の組成物。
【請求項７】  前記細菌が、汗の成分が存在する場合に、一酸化窒素、一酸化窒素前駆体、又はそれらの組み合わせへと代謝する、請求項６記載の組成物。
【請求項８】  前記汗の成分が、尿素、亜硝酸塩、乳酸、硝酸塩、塩、鉄塩、アンモニウム塩、及びそれらの組み合わせから選択される、請求項７記載の組成物。
【請求項９】  前記対象者が、ヒト又は非ヒト脊椎動物である、請求項１〜８の何れか一項に記載の組成物。
【請求項１０】  前記対象者の表層に対して適用される製剤の形態である、請求項１〜９の何れか一項に記載の組成物。
【請求項１１】  前記製剤が、化粧品組成物、ボディーデオドラント、又は運動用製剤（athletic preparation）である、請求項１０記載の組成物。
【請求項１２】  前記製剤が、水、鉱物油、着色剤、香料、アロエ、グリセリン、塩化ナトリウム、ｐＨ緩衝剤、ＵＶ吸収剤、シリコーン油、天然油、ビタミンＥ、ハーブの濃縮物（herbal concentrates）、乳酸、クエン酸、タルク、粘土、炭酸カルシウム、炭酸マグネシウム、一酸化亜鉛、デンプン、尿素、亜硝酸塩、硝酸塩、鉄塩、アンモニウム塩、又はそれらの組み合わせ、或いは、尿素、アンモニウム塩、ナトリウム、カリウム、マグネシウム、カルシウム、リン酸、塩化物、硫酸塩、微量無機塩類、鉄、銅、亜鉛、コバルト、マンガン、モリブデン、緩衝剤、又はそれらの組み合わせを含んで成る、請求項１０又は請求項１１に記載の組成物。
【請求項１３】  対象者に対して一酸化窒素を供給する非治療的な方法であって、アンモニア酸化細菌を対象者の極めて近くに置くことを含んで成る方法。
【請求項１４】  前記細菌を置く行為が、アンモニア酸化細菌を対象者の表層に対して、表層上のアンモニア、アンモニウム塩、又は尿素が一酸化窒素、一酸化窒素前駆体、又はそれらの組み合わせへと代謝されるのに有効な量、適用することを含んで成る、請求項１３記載の方法。
【請求項１５】  前記細菌を適用する行為が、適切な担体中の細菌を適用することを含んで成る、請求項１４記載の方法。
【請求項１６】  前記細菌が、ニトロソモナス（Nitrosomonas）、ニトロソコッカス（Nitrosococcus）、ニトロソスピラ（Nitrosospira）、ニトロソシスチス（Nitrosocystis）、ニトロソロブス（Nitrosolobus）、ニトロソビブリオ（Nitrosovibrio）、及びそれらの組み合わせからなる群から選択される、請求項１４又は請求項１５に記載の方法。
【請求項１７】  前記細菌が、実質的に純粋である、請求項１４〜１６の何れか一項に記載の方法。
【請求項１８】  前記細菌を表層に対して適用する行為が、前記細菌を皮膚、毛髪、又はそれらの組み合わせに対して適用することを含んで成る、請求項１４記載の方法。
【請求項１９】  前記対象者がヒトである、請求項１８記載の方法。
【請求項２０】  前記細菌を適用する行為が、前記細菌を物品に適用し、前記物品と対象者の表層とを接触させることを含んで成る、請求項１４記載の方法。
【請求項２１】  尿、糞便、血液、傷の分泌物、月経の分泌物、膣の分泌物、局所適用混合物、及びそれらの組み合わせのうち何れかを、細菌により代謝することを更に含んで成る、請求項１４記載の方法。
【請求項２２】  尿素、亜硝酸塩、乳酸、硝酸塩、塩、鉄塩、アンモニウム塩、及びそれらの組み合わせのうち何れから選択した汗の成分の化合物を、前記対象者の表層に対して適用する行為を更に含んで成る、請求項１４記載の方法。
【請求項２３】  前記の化合物及び細菌を適用する行為が、前記化合物と前記細菌とを混合物として適用することを含んで成る、請求項２２記載の方法。
【請求項２４】  前記細菌を適用する行為が、非ヒト脊椎動物である対象者に前記細菌を適用することを含んで成る、請求項１４記載の方法。
【請求項２５】  前記細菌を、皮膚、羽毛、毛、毛衣、うろこ、又はそれらの組み合わせに対して、或いは寝具、汚物、衣類物品、又は生息地に対して適用する、請求項２４記載の方法。
【請求項２６】  尿素又は金属塩の少なくとも１つを、前記細菌の増殖を刺激するのに有効な量、対象者の表層に対して適用することを更に含んで成る、請求項１４記載の方法。
【請求項２７】  前記細菌を適用する行為が、前記細菌を衣類物品に適用することを含んで成る、請求項２０記載の方法。
【請求項２８】  前記細菌を衣類物品に適用する行為が、前記細菌を衣類物品に含浸させる行為、又は、前記細菌で衣類物品を被覆する行為を含んで成る、請求項２７記載の方法。
【請求項２９】  前記細菌を置く行為が、前記細菌を対象者の表層に対して、表層上の通常の体の分泌物が一酸化窒素、一酸化窒素前駆体、又はそれらの組み合わせへと代謝されるのに有効な量、適用することを含んで成る、請求項１４記載の方法。
【請求項３０】  前記細菌を適用する行為が、性行為の開始前に、前記細菌を性器に対して局所的に適用することを含んで成る、請求項２９記載の方法。
【請求項３１】  前記細菌を適用する行為が、入浴の合間に、前記細菌を皮膚に対して適用することを含んで成る、請求項２９又は請求項３０に記載の方法。
【請求項３２】  通常の皮膚の分泌物の成分を代謝する行為が、汗の成分を代謝することを含んで成る、請求項２９又は請求項３０に記載の方法。
【請求項３３】  前記汗の成分が、尿素、亜硝酸塩、乳酸、硝酸塩、塩、鉄塩、アンモニウム塩、及びそれらの組み合わせから選択される、請求項３２記載の方法。
【請求項３４】  前記細菌を適用する行為が、入浴能力を欠く、移動障害を持つ、又は包帯をしている対象者に対して、細菌を適用することを含んで成る、請求項３１記載の方法。
【請求項３５】  前記対象者の表層に対して、尿素、アンモニウム塩、ナトリウム、カリウム、マグネシウム、カルシウム、リン酸塩、塩化物、硫酸塩、微量無機塩類、鉄、銅、亜鉛、コバルト、マンガン、モリブデン、緩衝剤、及びそれらの組み合わせのうち何れかを、前記細菌の増殖を刺激するのに有効な量、適用することを更に含んで成る、請求項１４記載の方法。
【請求項３６】  対象者に対して一酸化窒素を供給するための製剤の製造におけるアンモニア酸化細菌の使用であって、前記製剤がヒト又は非ヒト脊椎動物の表層に対して適用される、使用。
【請求項３７】  アンモニア酸化細菌で処理された衣類物品。
【請求項３８】  前記細菌が、アンモニア、アンモニウム塩、又は尿素のうち何れかを一酸化窒素、一酸化窒素前駆体、又はそれらの組み合わせへと代謝するとともに、アンモニア、アンモニウム塩、又は尿素が、汗、尿、糞便、血液、傷の分泌物、月経の分泌物、膣の分泌物、局所適用混合物、及びそれらの組み合わせのうち何れかの成分である、請求項３７記載の衣類物品。
【請求項３９】  おむつ、靴、スニーカー、ベルト、帽子、下着、運動着、靴下、靴インサート、包帯、フェースマスク、スカーフ、タンポン及びコンドームから選択される、請求項３７記載の衣類物品。
【請求項４０】  前記細菌が、ニトロソモナス、ニトロソコッカス、ニトロソスピラ、ニトロソシスチス、ニトロソロブス、ニトロソビブリオ、及びそれらの組み合わせから選択される、請求項３７記載の衣類物品。
【請求項４１】  尿素、亜硝酸塩、乳酸、硝酸塩、塩、鉄塩、アンモニウム塩、及びそれらの組み合わせの少なくとも一つを更に含んで成る、請求項３７記載の衣類物品。